(57)【要約】【課題】フレームに対するサブハウジングの組付性を向上し、フレームに安定してサブハウジングを保持することができるコネクタを提供する。【解決手段】相手ハウジングに嵌合可能なサブハウジング３と、このサブハウジング３が内部に収容されるフレーム５と、このフレーム５に設けられサブハウジング３の相手ハウジングとの嵌合面７が移動可能に配置される嵌合開口部９とを備えたコネクタ１において、サブハウジング３に、相手ハウジングと嵌合する前の状態で、嵌合面７を閉塞するダストキャップ１１を組付け、ダストキャップ１１を、嵌合開口部９の内壁面と当接可能に配置した。【選択図】図１
2016207525.tif 000002
【特許請求の範囲】
【請求項１】
相手ハウジングに嵌合可能なサブハウジングと、このサブハウジングが内部に収容されるフレームと、このフレームに設けられ前記サブハウジングの前記相手ハウジングとの嵌合面が移動可能に配置される嵌合開口部とを備えたコネクタであって、
前記サブハウジングには、前記相手ハウジングと嵌合する前の状態で、前記嵌合面を閉塞するダストキャップが組付けられ、
前記ダストキャップは、前記嵌合開口部の内壁面と当接可能に配置されていることを特徴とするコネクタ。
【請求項２】
請求項１記載のコネクタであって、
前記ダストキャップには、前記嵌合開口部から前記フレームの外部に露出する把持部が設けられていることを特徴とするコネクタ。
【発明の詳細な説明】
【技術分野】
【０００１】
本発明は、コネクタに関する。詳細には、相手ハウジングとの調心機能を有するようにフレーム内にサブハウジングが移動可能に配置されたコネクタに関する。
【背景技術】
【０００２】
従来、コネクタとしては、相手ハウジングに嵌合可能なサブハウジングと、このサブハウジングが内部に収容されるフレームとしてのパネルと、このパネルに設けられサブハウジングの相手ハウジングとの嵌合面が移動可能に配置される嵌合開口部としてのコネクタ挿通孔とを備えたものが知られている（例えば、特許文献１参照）。
【０００３】
このコネクタでは、サブハウジングとパネルとにそれぞれ互いに直交するように長孔が設けられ、この長孔を重ね合わせた状態でそれぞれの長孔にボルトを挿通可能にサブハウジングとパネルを配置させ、それぞれの長孔にボルトを挿通して締結することによってサブハウジングとパネルとを仮固定している。
【０００４】
このサブハウジングとパネルとの仮固定状態では、直交する２つの長孔とボルトとの係合により、サブハウジングがパネルの平面方向に対して移動可能に配置される。これにより、サブハウジングと相手ハウジングとの嵌合時に、相手ハウジングの位置ずれを吸収する調心機能を得ることができる。
【先行技術文献】
【特許文献】
【０００５】
【特許文献１】特開平１０−１８９１５６号公報
【発明の概要】
【発明が解決しようとする課題】
【０００６】
ところで、上記特許文献１のようなコネクタでは、サブハウジングとフレームとを組付けるときに、それぞれに設けられた長孔の位置合わせを行い、この長孔の位置が合った状態を保持しながら、それぞれの長孔にボルトを挿通して締結しなければならない。
【０００７】
このため、サブハウジングをフレームに組付ける作業が煩雑となり、フレームに対するサブハウジングの組付性が低下していた。
【０００８】
また、サブハウジングをフレームに組付けた状態では、サブハウジングがフレームの嵌合開口部に対して移動可能に配置されているので、例えば、コネクタの搬送時などに、サブハウジングが嵌合開口部で移動すると、サブハウジングがフレームから脱落してしまう恐れがあった。
【０００９】
そこで、この発明は、フレームに対するサブハウジングの組付性を向上し、フレームに安定してサブハウジングを保持することができるコネクタの提供を目的としている。
【課題を解決するための手段】
【００１０】
請求項１記載の発明は、相手ハウジングに嵌合可能なサブハウジングと、このサブハウジングが内部に収容されるフレームと、このフレームに設けられ前記サブハウジングの前記相手ハウジングとの嵌合面が配置される嵌合開口部とを備えたコネクタであって、前記サブハウジングには、前記相手ハウジングと嵌合する前の状態で、前記嵌合面を閉塞するダストキャップが組付けられ、前記ダストキャップは、前記嵌合開口部の内壁面と当接可能に配置されていることを特徴とする。
【００１１】
このコネクタでは、サブハウジングの嵌合面を閉塞するダストキャップが、嵌合開口部の内壁面と当接可能に配置されているので、サブハウジングがフレームに組付けられた状態で、サブハウジングがフレームの嵌合開口部に対して移動することを規制することができる。
【００１２】
このため、サブハウジングをフレームに対してボルトなどで仮固定するときに、フレームに対してサブハウジングの位置が合った状態を保持することができるので、容易にサブハウジングをフレームに仮固定することができ、フレームに対するサブハウジングの組付性を向上することができる。
【００１３】
また、サブハウジングは、相手ハウジングと嵌合する前の状態で、ダストキャップによって嵌合開口部における移動が規制されるので、サブハウジングの移動によるフレームからの脱落を防止でき、フレームに安定してサブハウジングを保持することができる。
【００１４】
さらに、サブハウジングは、相手ハウジングと嵌合する前の状態で、ダストキャップによって嵌合面が閉塞されるので、サブハウジング内への異物の侵入を防止でき、ショートなどの誤作動を防止することができる。
【００１５】
従って、このようなコネクタでは、ダストキャップによってフレームに対するサブハウジングの移動を規制できるので、フレームに対するサブハウジングの組付性を向上し、フレームに安定してサブハウジングを保持することができる。
【００１６】
請求項２記載の発明は、請求項１記載のコネクタであって、前記ダストキャップには、前記嵌合開口部から前記フレームの外部に露出する把持部が設けられていることを特徴とする。
【００１７】
このコネクタでは、ダストキャップに、嵌合開口部からフレームの外部に露出する把持部が設けられているので、サブハウジングと相手ハウジングとを嵌合させるときに、サブハウジングの嵌合面からダストキャップを容易に取り外すことができる。
【発明の効果】
【００１８】
本発明によれば、フレームに対するサブハウジングの組付性を向上し、フレームに安定してサブハウジングを保持することができるコネクタを提供することができるという効果を奏する。
【図面の簡単な説明】
【００１９】
【図１】本発明の実施の形態に係るコネクタの断面図である。
【図２】本発明の実施の形態に係るコネクタのフレームの一部を断面とした斜視図である。
【図３】本発明の実施の形態に係るコネクタのダストキャップの斜視図である。
【発明を実施するための形態】
【００２０】
図１〜図３を用いて本発明の実施の形態に係るコネクタについて説明する。
【００２１】
本実施の形態に係るコネクタ１は、相手ハウジングに嵌合可能なサブハウジング３と、このサブハウジング３が内部に収容されるフレーム５と、このフレーム５に設けられサブハウジング３の相手ハウジングとの嵌合面７が移動可能に配置される嵌合開口部９とを備えている。
【００２２】
そして、サブハウジング３には、相手ハウジングと嵌合する前の状態で、嵌合面７を閉塞するダストキャップ１１が組付けられ、ダストキャップ１１は、嵌合開口部９の内壁面と当接可能に配置されている。
【００２３】
また、ダストキャップ１１には、嵌合開口部９からフレーム５の外部に露出する把持部１３が設けられている。
【００２４】
図１，図２に示すように、サブハウジング３は、合成樹脂などの絶縁性材料からなり、筐体状に形成され、内部に電源や機器などに接続された電線（不図示）の端末部に接続された端子（不図示）が収容されている。
【００２５】
このサブハウジング３は、一端側が相手ハウジング（不図示）と嵌合可能な嵌合面７となっており、相手ハウジングと嵌合することによって、内部に収容された端子と相手ハウジングに収容された相手端子（不図示）とが電気的に接続される。このようなサブハウジング３の他端側には、フランジ部１５が設けられている。
【００２６】
フランジ部１５は、サブハウジング３の他端側の外周面にサブハウジング３と連続する一部材で、サブハウジング３の外周の周方向に連続して形成されている。このフランジ部１５が設けられたサブハウジング３は、嵌合面７側からフレーム５内に収容される。
【００２７】
フレーム５は、合成樹脂などの絶縁性材料からなり、筐体状に形成され、サブハウジング３を内部に収容させるための挿入開口部１７と、サブハウジング３と相手ハウジングとを嵌合させるための嵌合開口部９とが設けられている。
【００２８】
挿入開口部１７は、フレーム５の上面に設けられ、フレーム５の内部と外部とを連通するように開口されている。
【００２９】
この挿入開口部１７には、サブハウジング３が嵌合面７側から挿入され、サブハウジング３の嵌合面７が嵌合開口部９と位置が合うように、サブハウジング３がフレーム５内に収容される。
【００３０】
嵌合開口部９は、挿入開口部１７と異なるフレーム５の側面に設けられ、フレーム５の内部と外部とを連通するように開口されている。
【００３１】
この嵌合開口部９には、サブハウジング３がフレーム５内に収容された状態で、サブハウジング３の嵌合面７が開口面と平行となるように、サブハウジング３の嵌合面７が位置を合わせて配置される。
【００３２】
このサブハウジング３の嵌合面７が配置された嵌合開口部９には、フレーム５の外部から嵌合開口部９に向けて相手ハウジングが挿入され、相手ハウジングとサブハウジング３とが嵌合し、相手ハウジングに収容された相手端子とサブハウジング３に収容された端子とが電気的に接続される。
【００３３】
ここで、フレーム５内には、挿入開口部１７から挿入されたサブハウジング３をフレーム５内で傾斜させ、サブハウジング３の嵌合面７と嵌合開口部９との位置を合わせるために、挿入開口部１７と嵌合開口部９との間に、傾斜部１９と、湾曲部２１とが設けられている。
【００３４】
傾斜部１９は、上面に挿入開口部１７が設けられたフレーム５の内壁面からフレーム５の内部に向けて突設され、挿入開口部１７から嵌合開口部９側に向けて直線的に傾斜された傾斜面を有する。
【００３５】
この傾斜部１９のフレーム５の内壁面からの突出量は、サブハウジング３の外周面から突設されたフランジ部１５の突出量と同等以下になるように設定されている。
【００３６】
このような傾斜部１９は、挿入開口部１７から挿入されるサブハウジング３のフランジ部１５と摺動し、サブハウジング３の嵌合面７が嵌合開口部９側を向くように、サブハウジング３をフレーム５内で傾斜させる。
【００３７】
湾曲部２１は、傾斜部１９と対向して配置され、傾斜部１９が設けられたフレーム５の内壁面からフレーム５の内部に向けて突設され、傾斜部１９に向けて突出する円弧状に湾曲された湾曲面を有する。
【００３８】
この湾曲部２１のフレーム５の内壁面からの突出量は、傾斜部１９と同様に、サブハウジング３の外周面から突設されたフランジ部１５の突出量と同等以下になるように設定されている。
【００３９】
このような湾曲部２１は、サブハウジング３のフランジ部１５と傾斜部１９とが摺動し、サブハウジング３がある程度傾いたとき、サブハウジング３のフランジ部１５と摺動し、サブハウジング３の嵌合面７と嵌合開口部９との位置が合うように、フレーム５内でのサブハウジング３の傾きを補正する。
【００４０】
なお、傾斜部１９と湾曲部２１との間の底部には、収容溝２３が設けられており、この収容溝２３には、サブハウジング３の嵌合面７と嵌合開口部９との位置が合ったときに、サブハウジング３のフランジ部１５が収容される。
【００４１】
このようにフレーム５内に収容されたサブハウジング３は、嵌合面７側の外周面が嵌合開口部９の内壁面に対して離間して配置されており、サブハウジング３が相手ハウジングとの嵌合方向と直交する平面方向に対して僅かに移動可能なように、サブハウジング３がフレーム５に対して固定される。
【００４２】
このようにサブハウジング３の嵌合面７側をフレーム５の嵌合開口部９内で僅かに移動可能に配置させることにより、サブハウジング３と相手ハウジングとが嵌合するときに、相手ハウジングの位置ずれに対してサブハウジング３が追従し、端子と相手端子との接続時における調心機能を持たせることができる。
【００４３】
ところで、サブハウジング３に調心機能を持たせてフレーム５にサブハウジング３を固定する固定手段としては、サブハウジング３とフレーム５とにそれぞれ設けられた長孔を互いに合わせ、それぞれの長孔にボルトを挿通する構造がある。
【００４４】
このような構造の固定手段を成す場合には、サブハウジング３の嵌合面７側がフレーム５の嵌合開口部９内で大きく移動することが可能であるので、サブハウジング３とフレーム５とにそれぞれ設けられた長孔を合わせた状態を保持しながら、それぞれの長孔にボルトを挿通する必要があり、組付性が低下していた。
【００４５】
一方、サブハウジング３に調心機能を持たせてフレーム５にサブハウジング３を固定する他の固定手段としては、サブハウジング３とフレーム５とにそれぞれ互いに係合可能な係止手段を設け、この係止手段がサブハウジング３を移動可能となるように弾性を有する構造がある。
【００４６】
このような構造の固定手段では、サブハウジング３がフレーム５に係止された状態で、サブハウジング３が移動可能であるので、搬送時などにサブハウジング３が移動し、互いの係合が外れ、サブハウジング３がフレーム５から脱落する恐れがあった。
【００４７】
なお、長孔にボルトを挿通する固定手段であっても、サブハウジング３が移動可能であるので、同様に、サブハウジング３がフレーム５から脱落する恐れがあった。
【００４８】
そこで、サブハウジング３には、相手ハウジングと嵌合する前の状態で、嵌合面７を閉塞するダストキャップ１１が組付けられる。
【００４９】
ダストキャップ１１は、ゴムなどの弾性材料からなり、長方形状に形成され、大径に形成された閉塞部２５と、この閉塞部２５と連続する一部材で小径に形成された把持部１３とを有する。
【００５０】
閉塞部２５は、一側面側がサブハウジング３の嵌合面７側の外径と同等、或いは僅かに小さな内径を有するように開口され、サブハウジング３の嵌合面７を閉塞するようにサブハウジング３に組付けられる。
【００５１】
この閉塞部２５は、サブハウジング３の嵌合面７を閉塞し、サブハウジング３の内部に水や金属片などの異物が侵入することを防止し、ショートなどの誤作動を防止する。
【００５２】
このような閉塞部２５は、サブハウジング３に組付けられた状態で、フレーム５の嵌合開口部９に配置されることにより、外周面が嵌合開口部９の内壁面と当接可能に配置される。
【００５３】
なお、閉塞部２５の外周面と嵌合開口部９の内壁面との間には、僅かな隙間が形成されている。この隙間は、ダストキャップ１１を嵌合開口部９に組付け易く、或いは嵌合開口部９から取り外し易くするために設定されている。
【００５４】
このような閉塞部２５の外周面と嵌合開口部９の内壁面との隙間は、サブハウジング３を相手ハウジングとの嵌合方向と直交する平面方向に移動可能とする隙間より小さく設定されている。
【００５５】
このため、サブハウジング３がフレーム５内に収容された状態で、サブハウジング３が相手ハウジングとの嵌合方向と直交する平面方向に移動としても、すぐに閉塞部２５の外周面と嵌合開口部９の内壁面とが当接される。従って、閉塞部２５の外周面は、嵌合開口部９の内壁面と当接可能に配置されていることになる。
【００５６】
なお、閉塞部２５の外周面と嵌合開口部９の内壁面との間に隙間を設けずに、閉塞部２５の外周面が嵌合開口部９の内壁面に密着するように、ダストキャップ１１を嵌合開口部９に組付けてもよい。
【００５７】
このように閉塞部２５の外周面を嵌合開口部９の内壁面と当接可能に配置させることにより、サブハウジング３が相手ハウジングとの嵌合方向と直交する平面方向に移動しようとしても、閉塞部２５と嵌合開口部９の内壁面とが当接し、サブハウジング３の嵌合開口部９内における移動を規制することができる。
【００５８】
このため、長孔にボルトを挿通する固定手段を適用する場合には、サブハウジング３とフレーム５とにそれぞれ設けられた長孔を合わせた状態を保持する必要がなく、容易にそれぞれの長孔にボルトを挿通することができる。
【００５９】
一方、長孔にボルトを挿通した固定手段や弾性を有する係合による固定手段を適用してサブハウジング３をフレーム５に保持させている場合には、コネクタ１の搬送時などにサブハウジング３が移動しようとしても、閉塞部２５と嵌合開口部９の内壁面との当接により、嵌合開口部９内におけるサブハウジング３の移動を規制でき、固定手段による固定が解除されることを防止できる。
【００６０】
把持部１３は、閉塞部２５のサブハウジング３の嵌合面７を閉塞する側と反対側の面から閉塞部２５より小径となるように突設されている。この把持部１３は、閉塞部２５がフレーム５の嵌合開口部９内に配置された状態で、嵌合開口部９からフレーム５の外部に露出される。
【００６１】
このように把持部１３をフレーム５の外部に露出させることにより、嵌合開口部９から相手ハウジングを挿入して相手ハウジングとサブハウジング３とを嵌合させる前に、把持部１３を把持してフレーム５の外部方向に引っ張ることによって、容易にダストキャップ１１をサブハウジング３から取り外すことができる。
【００６２】
このダストキャップ１１をフレーム５の外部方向に引っ張るときには、サブハウジング３のフランジ部１５がフレーム５の収容溝２３に収容されているので、サブハウジング３が嵌合開口部９から抜け出ることがない。
【００６３】
なお、ダストキャップ１１をサブハウジング３に組付けるタイミングとしては、フレーム５の挿入開口部１７がダストキャップ１１を挿入可能な大きさを有している場合、サブハウジング３をフレーム５に収容する前に、ダストキャップ１１をサブハウジング３に組付けてもよい。
【００６４】
加えて、フレーム５の挿入開口部１７がどのような大きさを有しているかに関わらず、サブハウジング３をフレーム５に収容した後に、ダストキャップ１１を嵌合開口部９から挿入して、ダストキャップ１１をサブハウジング３に組付けてもよい。
【００６５】
このようなコネクタ１では、サブハウジング３の嵌合面７を閉塞するダストキャップ１１が、嵌合開口部９の内壁面と当接可能に配置されているので、サブハウジング３がフレーム５に組付けられた状態で、サブハウジング３がフレーム５の嵌合開口部９に対して移動することを規制することができる。
【００６６】
このため、サブハウジング３をフレーム５に対してボルトなどで仮固定するときに、フレーム５に対してサブハウジング３の位置が合った状態を保持することができるので、容易にサブハウジング３をフレーム５に仮固定することができ、フレーム５に対するサブハウジング３の組付性を向上することができる。
【００６７】
また、サブハウジング３は、相手ハウジングと嵌合する前の状態で、ダストキャップ１１によって嵌合開口部９における移動が規制されるので、サブハウジング３の移動によるフレーム５からの脱落を防止でき、フレーム５に安定してサブハウジング３を保持することができる。
【００６８】
さらに、サブハウジング３は、相手ハウジングと嵌合する前の状態で、ダストキャップ１１によって嵌合面７が閉塞されるので、サブハウジング３内への異物の侵入を防止でき、ショートなどの誤作動を防止することができる。
【００６９】
従って、このようなコネクタ１では、ダストキャップ１１によってフレーム５に対するサブハウジング３の移動を規制できるので、フレーム５に対するサブハウジング３の組付性を向上し、フレーム５に安定してサブハウジング３を保持することができる。
【００７０】
また、ダストキャップ１１には、嵌合開口部９からフレーム５の外部に露出する把持部１３が設けられているので、サブハウジング３と相手ハウジングとを嵌合させるときに、サブハウジング３の嵌合面７からダストキャップ１１を容易に取り外すことができる。
【００７１】
なお、本発明の実施の形態に係るコネクタでは、ダストキャップが弾性材料で形成されているが、これに限らず、合成樹脂などの絶縁性材料で形成してもよく、サブハウジングの嵌合面を閉塞し、嵌合開口部の内壁面と当接可能であれば、ダストキャップはどのような材料で形成してもよい。
【００７２】
また、フレームの挿入開口部と嵌合開口部とは、互いに異なる方向に向けて開口されているが、これに限らず、挿入開口部と嵌合開口部とを同一方向に開口して挿入開口部と嵌合開口部とを共用化する、挿入開口部と嵌合開口部とを直線的に開口させるなど、挿入開口部と嵌合開口部との開口方向はどのようなものであってもよい。
【００７３】
さらに、フレームは、筐体状に形成されているが、これに限らず、パネルなどのように壁面を有する板材などであってもよく、嵌合開口部に対して調心機能を持ってサブハウジングが配置されている構造であれば、本発明の構成を適用することができる。
【符号の説明】
【００７４】
１…コネクタ
３…サブハウジング
５…フレーム
７…嵌合面
９…嵌合開口部
１１…ダストキャップ
１３…把持部
【図１】
2016207525.tif 000003
【図２】
2016207525.tif 000004
【図３】
2016207525.tif 000005